(57)【特許請求の範囲】
【請求項１】
中間周波数信号を得るために希望した信号を選択するためのチューナと、
前記中間周波数信号を濾波して、濾波された中間周波数信号を得る中間周波数フィルタ回路と、
前記濾波された中間周波数信号から少なくとも１つのベースバンド信号を引き出す復調器回路と、
を含み、異なった伝送標準に従って伝送される信号を受信する受信装置において、
前記中間周波数フィルタ回路は、主フィルタ、前記主フィルタに並列に接続された補助フィルタ、および受信されるべき信号の前記伝送標準に従って、前記補助フィルタを前記主フィルタに並列に選択的にスイッチングするスイッチング回路を含んでいることを特徴とする、信号を受信する受信装置。
【請求項２】
請求項１に記載の受信装置において、前記主フィルタと補助フィルタは、逆位相で共通に接続される対称的な入力端子および／または対称的な出力端子を有していることを特徴とする、信号を受信する受信装置。
【請求項３】
請求項１に記載の受信装置において、前記主フィルタと補助フィルタは対称的な入力端子を有し、各フィルタの対称的な入力端子の１つが信号接地部に接続されていることを特徴とする、信号を受信する受信装置。
【請求項４】
請求項１に記載の受信装置において、前記スイッチング回路は、前記チューナによって供給された前記中間周波数信号を減衰させることを特徴とする、信号を受信する受信装置。
【請求項５】
請求項４に記載の受信装置において、前記スイッチング回路は、前記中間周波数信号を減衰させるために直列抵抗器を含んでいることを特徴とする、信号を受信する受信装置。
【請求項６】
請求項１に記載の受信装置において、前記スイッチング回路は、前記補助フィルタの入力端子と前記信号接地部との間に接続されたスイッチングトランジスタ、および前記補助フィルタの入力端子に直列に接続されたスイッチングダイオードを含んでいることを特徴とする、信号を受信する受信装置。
【請求項７】
中間周波数信号を得るために希望した信号を選択するためのチューナと、前記中間周波数信号を濾波して、濾波された中間周波数信号を得る中間周波数フィルタ回路と、前記濾波された中間周波数信号から少なくとも１つのベースバンド信号を引き出す復調器回路とを備え、前記中間周波数フィルタ回路は、主フィルタ、前記主フィルタに並列に接続された補助フィルタ、および受信されるべき信号の前記伝送標準に従って、前記補助フィルタを前記主フィルタに並列に選択的にスイッチングするスイッチング回路を含む受信装置において、異なった伝送標準に従って伝送される信号を受信する方法であって、
前記チューナにおいて、前記中間周波数信号を得るために希望した受信信号を選択するステップと、
前記中間周波数フィルタ回路において、前記中間周波数信号を中間周波数濾波して、濾波された中間周波数信号を得るステップと、
復調器回路において、前記濾波された中間周波数信号から少なくとも１つのベースバンド信号を引き出すステップとを含む、信号を受信する方法において、
前記中間周波数濾波ステップは、前記スイッチング回路において、前記受信信号の伝送標準に従って、前記主フィルタに並列に前記補助フィルタを選択的にスイッチするステップをさらに含んでいることを特徴とする、信号を受信する方法。
【発明の詳細な説明】
【０００１】
【発明の属する技術分野】
本発明は、信号、特に、異なった伝送標準に従って伝送されるテレビジョン（ＴＶ）信号を受信する方法と装置に関する。例えば、幾つかのヨーロッパの地域においては、Ｂ／Ｇ−ＰＡＬタイプとＤ／Ｋ−ＰＡＬタイプの両方のＴＶ伝送が適当なマルチ標準ＴＶ受信装置で受信できる。
【０００２】
【従来技術】
Ｂ／Ｇ−ＰＡＬやＤ／Ｋ−ＰＡＬ  ＴＶ信号の両方を受信するために適しているマルチ標準ＴＶ受信装置は既知である。他の従来のＴＶ受信装置と同様に、これらのマルチ標準受信装置もチューナ、中間周波数（ＩＦ）フィルタ回路および復調器回路を含んでいる。チューナは希望したＴＶ信号を選択し、そしてＴＶ  ＩＦ信号を得るために希望したＴＶ信号を周波数変換する。ＩＦフィルタ回路は、チューナによって供給されるＴＶ  ＩＦ信号を復調器回路に伝送する。濾波されたＴＶ  ＩＦ信号に従って、復調器回路はベースバンドの映像信号とベースバンドの音声信号を与える。復調器回路は、それぞれＢ／Ｇ−ＰＡＬＴＶ信号とＤ／Ｋ−ＰＡＬ  ＴＶ信号を復調するために、Ｂ／Ｇ−モードとＤ／Ｋ−モードで動作することができる。
【０００３】
マルチ標準ＴＶ受信装置は、通常のＴＶ受信装置のように、多くのヨーロッパの国におけるいわゆるＥＮ５５０２０の要件を満足しなければならない。ＥＮ５５０２０の要件の１つは、あるレベルの隣接チャンネルＴＶ信号が存在するとき、著しい干渉がベースバンド映像信号において生じてはならないことを定めている。これは、干渉免除要件と呼ばれている。
【０００４】
【発明が解決しようとする課題】
本発明の目的は、比較的ローコストで、しかも比較的良好な性能で、その結果、例えば、ＥＮ５５０２０の要件に合致するマルチ標準受信方法および装置を提供することにある。
【０００５】
【課題を解決するための手段】
そのような受信装置は、中間周波数のフィルタ回路が、主フィルタ、前記主フィルタに並列に接続された補助フィルタ、および受信されるべき信号の伝送標準に従って、補助フィルタを主フィルタに並列に選択的にスイッチングするスイッチング回路を含んでいることを特徴としている。本発明の他の態様は、請求の範囲第７項に規定された受信方法を提供する。
【０００６】
本発明は、例えば、Ｂ／Ｇ−ＰＡＬ  ＴＶ信号とＤ／Ｋ−ＰＡＬ  ＴＶ信号とを受信することができるマルチ標準ＴＶ受信装置に使用できる。Ｂ／Ｇ−ＰＡＬの場合には、ＴＶ  ＩＦ信号は主フィルタのみを介して復調器回路ＤＥＭに伝送される。Ｄ／Ｋ−ＰＡＬの場合には、補助フィルタが主フィルタに並列にスイッチングされ、信号の伝送にまた寄与する。主フィルタは、全Ｂ／Ｇ−ＰＡＬ  ＴＶ  ＩＦ信号を復調器回路に通過させることができる比較的狭い帯域を有することができる。このようにして、Ｂ／Ｇ−ＰＡＬ受信のためのＥＮ５５０２０の干渉免除要件を満たすことができる。補助フィルタは、Ｄ／Ｋ−ＰＡＬの音声搬送波を復調器回路に伝送することができる。その伝送は、比較的狭帯域の主フィルタを介してはできない。上述の例は、専用のＢ／Ｇ−ＰＡＬフィルタと専用のＤ／Ｋ−ＰＡＬフィルタの両方が使用される解決方法よりも、よりコスト効率的な解決方法である。
【０００７】
付加的な特徴は従属する請求項に規定され、一層の利点を与える。
【０００８】
請求項２に規定された付加的な特徴は、主および補助フィルタのレスポンスがオーバラップしている周波数範囲におけるどんな不所望な信号の抑圧にも寄与する。
【０００９】
請求項３に規定された付加的な特徴は、スイッチング回路のコスト効率的な実行に寄与する。
【００１０】
請求項４に規定された付加的な特徴は、主フィルタと補助フィルタの出力における信号レベル間のよいバランスを与える。
【００１１】
請求項５に規定された付加的な特徴は、請求項４に関してすでに述べられた利点をコスト効率的に与える。
【００１２】
請求項６に規定された付加的な特徴は、補助フィルタを介しての不所望な信号の伝送を阻止する。
【００１３】
【発明の実施の形態】
本発明は、以下において、図に示される例に基づいて詳細に説明されるであろう。さらに、従属する請求項に規定されている付加的な特徴は、また実施例中に認められるであろう。
【００１４】
さて、本発明を、Ｂ／Ｇ−ＰＡＬとＤ／Ｋ−ＰＡＬ  ＴＶ信号の両方を受信することができる図１のマルチ標準ＴＶ受信装置に関して、一例として説明する。図１の受信装置は、希望したＴＶ入力信号ＴＶＩからベースバンドの音声信号ＳＮＤおよび映像信号ＶＩＤをそれぞれ引き出す。図１の受信装置は、以下の主な回路：チューナＴＵＮ、ＩＦフィルタ回路ＩＦＦ、復調器回路ＤＥＭ、および制御回路ＣＯＮを含んでいる。
【００１５】
チューナＴＵＮは希望したＴＶ信号を選択し、ＴＶ  ＩＦ信号ＴＩＦを得るためにそれを周波数変換する。ＩＦフィルタ回路ＩＦＦは、ＴＶ  ＩＦ信号ＴＩＦを復調器回路ＤＥＭに伝送する。濾波されたＴＶ  ＩＦ信号に従って、復調器回路ＤＥＭはベースバンドの音声信号ＳＮＤおよび映像信号ＶＩＤを与える。制御回路ＣＯＮは、希望したＴＶ信号の標準に従って、関連した回路ＴＵＮ，ＩＦＦおよびＤＥＭの特性をセットする。
【００１６】
チューナの入力端子における希望したＴＶ信号と同様に、ＴＶ  ＩＦ信号ＴＩＦも映像搬送波と音声搬送波を含んでいる。映像搬送波の周波数は、Ｂ／Ｇ−ＰＡＬとＤ／Ｋ−ＰＡＬ信号の両方に対してほぼ３８．９ＭＨｚである。音声搬送波の周波数は、ＰＡＬ  Ｂ／Ｇの場合ほぼ３３．４ＭＨｚであり、ＰＡＬＤ／Ｋの場合ほぼ３２．４ＭＨｚである。従って、復調器回路ＤＥＭは２つのモード、Ｂ／Ｇ−ＰＡＬ  ＴＶ信号とＤ／Ｋ−ＰＡＬ  ＴＶ信号を復調するために、Ｂ／ＧモードとＤ／Ｋモードで動作できる。Ｂ／Ｇモードにおいては、復調器回路ＤＥＭはほぼ３３．４ＭＨｚの周波数を有する音声搬送波に応答する。Ｄ／Ｋモードにおいては、復調器回路ＤＥＭはほぼ３２．４ＭＨｚの周波数を有する音声搬送波に応答する。復調器回路ＤＥＭは、例えば、インターキャリアシステムに従って構成できる。
【００１７】
ＩＦフィルタ回路ＩＦＦは、主ＩＦフィルタＦＩＬ１と補助フィルタＦＩＬ２を含んでいる。図２は、主フィルタＦＩＬ１と補助フィルタＦＩＬ２の周波数レスポンスの例を単一のグラフで示している。主フィルタの周波数レスポンスは、図２において参照番号１によって示されている。周波数レスポンス１は、３８．９ＭＨｚの映像搬送波周波数において中心をなすナイキストスロープを含んでいる。さらに、そこには、周波数レスポンス１がほぼフラットである２つの周波数範囲がある。これら２つの範囲のうちの一方は、ほぼ３３．９ＭＨｚから３８．４ＭＨｚまで拡がり、そしてＴＶ  ＩＦ信号の輝度成分をカバーしている。これら２つの範囲のうちの他方はより小さく、３３．４ＭＨｚのＢ／Ｇ−ＰＡＬの音声搬送波周波数において中心をなしている。周波数レスポンス１のレベルは、後者の範囲におけるレベルが前者の範囲におけるレベルよりも低い。
【００１８】
図２において、補助フィルタＦＩＬ２の周波数レスポンスが、参照番号２によって示されている。周波数レスポンス２は、３２．４ＭＨｚのＤ／Ｋ−ＰＡＬの音声搬送波周波数において中心をなす帯域通過特性を有している。帯域通過特性は比較的小さい幅を有するが、しかし、Ｄ／Ｋ−ＰＡＬの音声搬送波を伝送するためには十分である。
【００１９】
両方のフィルタＦＩＬ１とＦＩＬ２とは、例えば、対称的な入力端子と出力端子を有するＳＡＷフィルタとして実現できる。図１において、フィルタＦＩＬ１，ＦＩＬ２の対称的な出力端子は相互に接続され、対称的な入力端子を有する復調器回路ＤＥＭに接続されている。両方のＩＦフィルタＦＩＬ１，ＦＩＬ２に関しては、一方の対称的な入力端子が信号接地部に接続され、これに対し、他方の対称的な入力端子が共通モードの入力信号を受信するために接続されている。それに従って、チューナＴＵＮの一方の対称的な出力端子は、信号接地部に接続され、他方の対称的な出力端子は、ＩＦフィルタ回路ＩＦＦに共通モードのＴＶ  ＩＦ信号ＴＩＦを与える。インダクタンスＬＣは、インピーダンス整合のためにチューナＴＵＮの対称的な出力端子間に配置される。
【００２０】
スイッチング回路ＳＷが、チューナＴＵＮの出力端子と補助フィルタＦＩＬ２の入力端子の間に接続されている。スイッチング回路ＳＷは、２つのモード：Ｂ／Ｇ−モードとＤ／Ｋモードを有している。Ｄ／Ｋモードにおいては、スイッチング回路ＳＷは、チューナＴＵＮの出力端子に存在するＴＶ  ＩＦ信号ＴＩＦを補助フィルタＦＩＬ２の入力端子に伝送する。Ｂ／Ｇモードにおいては、スイッチング回路ＳＷはそのような信号伝送を完全に阻止する。制御回路ＣＯＮによって与えられる制御信号ＣＳは、スイッチング回路ＳＷがＢ／ＧモードまたはＤ／Ｋモードにあるか否かを決定する。
【００２１】
スイッチング回路ＳＷは、スイッチングトランジスタＴＳ、スイッチングダイオードＤＳおよび直列抵抗器ＲＳを含んでいる。スイッチングトランジスタＴＳは、そのベースに制御信号ＣＳを受信する。制御信号ＣＳは、Ｂ／Ｇ−ＰＡＬの場合に高レベルを、Ｄ／Ｋ−ＰＡＬの場合に低レベルを有している。
制御信号ＣＳの高レベルは、スイッチングトランジスタＴＳに、補助フィルタＦＩＬ２の入力端子を信号接地部に完全に短絡させる。さらに、制御信号ＣＳの高レベルは、電流がスイッチングダイオードＤＳを流れることを阻止する。したがって、補助フィルタＦＩＬ２の入力端子を、チューナＴＵＮの出力端子から絶縁する。
【００２２】
対照的に、制御信号ＣＳの低レベルは、スイッチングダイオードＤＳを導通させ、スイッチングトランジスタＴＳをターンオフする。その結果、チューナＴＵＮの出力端子は、補助フィルタＦＩＬ２の入力端子に電気的に接続される。この場合、ＴＶ  ＩＦ信号ＩＦＦは、幾分減衰して補助フィルタＦＩＬ２の入力端子に伝送される。減衰は、直列抵抗器ＲＳの値に依存する。
【００２３】
参照符号が付されていない図１中の素子は、当業者が直ちに認識するように、交流信号および／または直流信号を適切に接続するために使用される。従って、これらの素子は、この明細においてさらに記述される必要はない。
【００２４】
明らかに、本発明は上述した例とは異なった態様で実施できる。本発明は幾つかの個別素子を含んでいるハードウェアによって、そして適当にプログラムされたコンピュータによって実施できる。請求された本発明の範囲が上述した実施例を超えることを示すために、幾つかの例を説明する。
【００２５】
本発明は、Ｂ／Ｇ−ＰＡＬとＤ／Ｋ−ＰＡＬのＴＶ信号のマルチ標準受信に限られないことに留意されたい。
【００２６】
本発明は、画像表示デバイスが備えられたテレビジョン受信装置に限られないことに留意されたい。例えば、本発明は多標準ビデオテープレコーダに使用できる。この明細書において、テレビジョン受信装置という用語は、テレビジョン信号を受信するための受信装置として解釈されるべきである。ビデオテープレコーダは、実際にそのような受信装置であるとみなされる。
【図面の簡単な説明】
【図１】ブロックダイヤの形態で、本発明のマルチ標準ＴＶ受信装置の例を示す図である。
【図２】図１のマルチ標準テレビジョン受信装置におけるフィルタの周波数レスポンスを示す図である。
【図１】
0004183751.tif 000002
【図２】
0004183751.tif 000003